(57)【要約】【課題】人手を掛けずに注文飲食物を注文飲食客に確実に送り届けることができる専用の往復注文搬送路を設けた循環型飲食物搬送装置を提供すること。【解決手段】飲食客エリア内を飲食物を載置して循環する無端状の循環搬送路１ａ，１ｂを備える循環型飲食物搬送装置１において、この循環搬送路１ａ，１ｂの近傍に、注文飲食客に注文飲食物を移送する往復注文搬送装置２を設ける。この注文搬送装置２は注文飲食物を前後方向に往復動可能で注文飲食客の座席位置で停止するように構成されている。また飲食客の座席近傍にはインターフォン１５，１６があって、手軽に注文ができる。【選択図】  図１
2004187922.tif 000002
【特許請求の範囲】
【請求項１】
飲食客エリア内を飲食物を載置して循環する無端状の循環搬送路を備える循環型飲食物搬送装置において、前記循環搬送路の近傍に、注文飲食客に注文飲食物を移送する往復注文搬送装置を設け、該往復注文搬送装置は注文飲食物を前後方向に往復移動可能で注文飲食客の座席位置で停止することを特徴とする循環型飲食物搬送装置。
【請求項２】
前記注文飲食物を停止する手段は、注文飲食物が注文飲食客の座席位置まで移送されたときに、前記往復注文搬送装置の駆動を停止するものである請求項１に記載の循環型飲食物搬送装置。
【請求項３】
前記注文飲食物を停止する手段は、注文飲食物が注文飲食客の座席位置まで移送されたときに、停止部材を注文飲食物運搬体に当接してその移送を阻止するものである請求項１に記載の循環型飲食物搬送装置。
【請求項４】
前記往復注文搬送装置はリニアモータ駆動の吊り下げ式搬送である請求項項１ないし３の何れかに記載の循環型飲食物搬送装置。
【請求項５】
前記無端状の循環搬送路は対面式カウンターに配備され、前記往復注文搬送装置は前記カウンターの中間部上方に設けられている請求項１ないし４の何れかに記載の循環型飲食物搬送装置。
【請求項６】
注文飲食客の対面側の飲食客の視界から前記注文飲食物を遮る目隠し板を注文飲食物運搬体に設けた請求項５に記載の循環型飲食物搬送装置。
【請求項７】
前記対面式カウンターの飲食客に対応して前記往復注文搬送装置を２つ並設した請求項５に記載の循環型飲食物搬送装置。
【請求項８】
目隠し板を前記２つの往復注文搬送装置間に立設した請求項７に記載の循環型飲食物搬送装置。
【請求項９】
前記注文飲食物を停止する手段は、注文飲食物を停止した時に、注文飲食客に告知する手段を作動させる請求項１ないし８のいずれかに記載の循環型飲食物搬送装置。
【請求項１０】
前記注文飲食物を停止する手段は、注文飲食物が採られた後は該停止手段の作動を解除する請求項１ないし９のいずれかに記載の循環型飲食物搬送装置。
【請求項１１】
前記注文飲食物を停止する手段は、注文飲食物が所定時間以上停止している場合に、該停止手段の作動を解除し、注文飲食物を前記往復注文搬送装置より排除する請求項１ないし９のいずれかに記載の循環型飲食物搬送装置。
【請求項１２】
前記往復注文搬送装置より排除される注文飲食物は、該往復注文搬送装置より前記飲食客エリア内を循環する無端状の循環搬送路に移送される請求項１１に記載の循環型飲食物搬送装置。
【請求項１３】
前記飲食客の座席近傍には注文伝達手段が配備されている請求項１ないし１２の何れかに記載の循環型飲食物搬送装置。
【発明の詳細な説明】
【０００１】
【発明の属する技術分野】
本発明は、飲食客エリア内を飲食物を載置して循環する無端状の循環搬送路を備える循環型飲食物搬送装置に関する。
【０００２】
【従来の技術】
例えば、回転寿司と称されている寿司店の循環型飲食物搬送装置は、飲食カウンター等の飲食台に沿って設けられ、無端回走するクレセントチェーンコンベヤ等よりなる循環搬送路上に、寿司等を盛り付けした飲食皿を載置して、飲食客エリアを循環搬送させることにより、客に飲食物を提供するようになっている（特許文献１参照）。
【０００３】
そして、上記のような循環型飲食物搬送装置において、飲食客が循環搬送路上に載置されていない飲食物を注文したときは、店員がその都度、注文飲食客に直接手渡すか、座席番号００番の注文品と書いた表示物と一緒に通常の搬送路に注文飲食物を投入して、その座席番号の飲食客だけが採れるように搬送していた。
【０００４】
【特許文献１】
特開平１１−４６９５６号公報（第２，３頁、図１）
【０００５】
【発明が解決しようとする課題】
しかしながら、より多くの飲食客を収納できるようにした大型店舗が増加している現況において、繁盛時には多くの注文飲食客から注文を受けるので、注文飲食物を直接店員が移動して手渡すには多くの店員を動員させなければならず、また店員が飲食物を持ちながら飲食客の後をうろうろすること自体好感のもてるものではなかった。一方、座席番号を記した表示物を付けて一般の搬送路に投入する方法は、人手が掛からない反面、注文飲食客が会話に夢中になって見逃してしまう恐れもあり、確実に注文飲食物を注文飲食客に送り届けることができなかった。
【０００６】
本発明は、上記問題点を解決するためになされたもので、人手を掛けずに注文飲食物を注文飲食客に確実に送り届けることができる専用の往復注文搬送路を設けた循環型飲食物搬送装置を提供することを目的としている。
【０００７】
【課題を解決するための手段】
上記目的を達成するために、本発明の循環型飲食物搬送装置は、飲食客エリア内を飲食物を載置して循環する無端状の循環搬送路を備える循環型飲食物搬送装置において、前記循環搬送路の近傍に、注文飲食客に注文飲食物を移送する往復注文搬送装置を設け、該往復注文搬送装置は注文飲食物を前後方向に往復移動可能で注文飲食客の座席位置で停止することを特徴としている。
この特徴によれば、注文した飲食物が注文飲食物載置台により送り届けられるので、人手が掛からず、しかも注文飲食者のところで飲食物が停止するので、見逃してしまうようなことがない。
【０００８】
上記本発明の循環型飲食物搬送装置において、前記注文飲食物を停止する手段は、注文飲食物が注文飲食客の座席位置まで移送されたときに、前記往復注文搬送装置の駆動を停止するものであるのが好ましい。
このようにすると、座席位置と駆動による移動距離を関連付けることで、注文飲食物を注文飲食客の席のところに正確に搬送することができる。
【０００９】
上記本発明の循環型飲食物搬送装置において、前記注文飲食物を停止する手段は、注文飲食物が注文飲食客の座席位置まで移送されたときに、停止部材を注文飲食物運搬体に当接してその移送を阻止するものであるのが好ましい。
このようにすると、往復注文搬送装置の駆動を停止することなく注文飲食物を停止できるので、次の注文飲食物の搬送において、搬送装置の再起動の必要がない。
【００１０】
上記本発明の循環型飲食物搬送装置において、前記往復注文搬送装置はリニアモータ駆動の吊り下げ式搬送であるのが好ましい。
このようにすると、通常の循環型搬送装置と往復注文搬送装置とを上下に振り分けているので、搬送駆動部のスペースに余裕ができると共に、往復注文搬送装置をリニアモータ駆動とすることで搬送時の騒音が抑えられるため飲食客エリアの環境を向上することができる。
【００１１】
上記本発明の循環型飲食物搬送装置において、前記無端状の循環搬送路は対面式カウンターに配備され、前記往復注文搬送装置は前記カウンターの中間部上方に設けられているのが好ましい。
このようにすると、往復注文搬送装置がカウンターより高いところにあるので、通常の循環型飲食物搬送路と区別でき、途中で注文飲食物が誤って他の飲食客に採られてしまうことが防げる。
【００１２】
上記本発明の循環型飲食物搬送装置において、注文飲食客の対面側の飲食客の視界から前記注文飲食物を遮る目隠し板を前記注文飲食物運搬体に設けるのが好ましい。
このようにすると、注文飲食物が停止したときに、注文飲食物運搬体に設けた目隠し板で注文飲食物が隠されるので、対面側の飲食客が誤って注文飲食物を採ってしまうようなことは起きない。
【００１３】
上記本発明の循環型飲食物搬送装置において、前記対面式カウンターの飲食客に対応して前記往復注文搬送装置を２つ並設するのが好ましい。
このようにすると、対面する両飲食客に対して別個独立して注文飲食物を搬送することができる。
【００１４】
上記本発明の循環型飲食物搬送装置において、目隠し板を前記２つの往復注文搬送装置間に立設するのが好ましい。
このようにすると、対面側の飲食客は目隠し板でその注文飲食物が見えないので誤って採ってしまうようなことは起きない。
【００１５】
上記本発明の循環型飲食物搬送装置において、前記注文飲食物を停止する手段は、注文飲食物が停止した時に、注文飲食客に告知する手段を作動させるのが好ましい。
このようにすると、ランプやブザー等の告知手段により注文飲食物が届いたことを注文飲食客に知らせることができる。
【００１６】
上記本発明の循環型飲食物搬送装置において、前記注文飲食物を停止する手段は、注文飲食物が採られた後は該停止手段の作動を解除するのが好ましい。
このようにすると、次に待機させていた注文飲食物を直ちに搬送することができる。
【００１７】
上記本発明の循環型飲食物搬送装置において、前記注文飲食物を停止する手段は、注文飲食物が所定時間以上停止している場合に、該停止手段の作動を解除し、注文飲食物を前記往復注文搬送装置より排除するのが好ましい。
このようにすると、他の飲食客の注文に対し長く待たせることなく対応できる。
【００１８】
上記本発明の循環型飲食物搬送装置において、前記往復注文搬送装置より排除される注文飲食物は、該往復注文搬送装置より前記飲食客エリア内を循環する無端状の循環搬送路に移送されるのが好ましい。
このようにすると、注文飲食物を無駄にすることなく再利用できる。
【００１９】
上記本発明の循環型飲食物搬送装置において、前記飲食客の座席近傍には注文伝達手段が配備されているのが好ましい。
このようにすると、インターフォン等の注文伝達手段により飲食客は手軽に注文できる。
【００２０】
【発明の実施の形態】
以下、本発明の実施形態を図面に基づいて説明する。
【００２１】
図１は本発明の第１実施形態に係る循環型飲食物搬送装置であって、無端状循環搬送路とその近傍上部に配設され前後方向に往復動可能な注文飲食物載置台を備えた往復注文搬送装置を横切る断面図である。
【００２２】
図１に示す符号１は循環型飲食物搬送装置であって、この循環型飲食物搬送装置１は、無端状のクレセントチェーンコンベヤ１２ａ，１２ｂで構成される略水平な循環搬送路１ａ，１ｂから成る往路及び復路を有し、図示しない隔壁で仕切られた厨房エリア内から飲食物Ｎを食器皿８に載置して飲食客エリア内を回走し、再び厨房エリアに戻るようになっている。
【００２３】
更に、循環搬送路１ａ，１ｂの側面には対面式の飲食カウンター４ａ，４ｂが配設されており、これら飲食カウンター４ａ，４ｂには複数の飲食客の座席が搬送方向に沿って所定間隔で配設されている。
【００２４】
詳しくは、循環搬送路１ａ，１ｂの間に形成された支持台１１上部には、搬送方向に沿う複数の支柱７が所定間隔毎に立設しており、これら支柱７間に設けられた保持枠Ｈに注文飲食客の対面側の飲食客の視界から遮る仕切板５が取付けられている。
【００２５】
そして、これら循環搬送路１ａ，１ｂの中間部上方には、前後方向に往復動可能な注文飲食物運搬体を備えた往復注文搬送装置２が設けられている。なお、この注文飲食物運搬体は食器皿８のことを意味する場合と、食器皿８を載せた注文用トレーＴとを意味する場合とを含んでいる。
【００２６】
そして、これら各支柱７の頂部には、Ｕ字状の支持枠Ｆ１が支持されており、支持枠Ｆ１の内部底枠には往復注文搬送装置２が支持されており、この往復注文搬送装置２は、図示しない前後に配置された一対のスプロケットに係止されて水平に折り返される無端チェンＣ１，Ｃ２と、一側チェンＣ１に連結されて厨房エリア内で飲食物Ｎを載せた食器皿８を載置して飲食客エリア内に向く案内レール１３上に支持されて往復直線移動する注文用トレーＴとから構成されている。
【００２７】
また、往復注文搬送路２は、通常の飲食物搬送装置１より高いところにあるので区別することができ、注文飲食物を通常の搬送飲食物であると飲食客が誤解して途中で採ってしまうことが防げる。
【００２８】
本実施例では注文飲食物を移送するのにチェンに牽引される注文飲食物載置台としての注文用トレーＴを用いているが、立体回走型の循環クレセントチェーンコンベヤや、磁石牽引型搬送装置の如く注文用トレーＴを用いることなく食器皿をどこでもおけるタイプのものを使用することも可能である。
【００２９】
また、飲食カウンター４ａ，４ｂ前の座席に対応する下部フレームＦの前面には、注文伝達手段となるインターフォン１５，１６がそれぞれ取付けられており、その座席に着席した飲食客は、インターフォン１５，１６のボタン１５ａ，１６ａを押すことで好みの飲食物を厨房側に口頭で注文することができるようになっている。
【００３０】
このようにすることで、インターフォン１５，１６等により飲食客は手軽に注文することができる。なお、厨房エリア側への注文伝達手段としては、インターフォンに限らず座席番号と注文品を席近傍のタッチパネルに入力するようなものであってもよい。
【００３１】
注文した飲食物を載置した食器皿８は、注文用トレーＴにより注文飲食客の座席位置まで走行したところで、往復注文搬送装置２の駆動を停止させる。停止手段として例えば、座席位置とパルスモータの駆動による移動距離を関連付けることで、注文飲食物を注文飲食者の座席のところまでに正確に搬送することができる。
【００３２】
上記食器皿８が注文飲食客の座席位置で停止した時は、ランプやブザー等の告知手段により注文飲食物が届いたことを注文飲食客に知らせるので、注文飲食者が気を逸らしていても注文飲食物が届いたことを知ることができる。
【００３３】
図２は往復注文搬送装置を横切る方向に進退移動して注文飲食物を注文飲食客の前面で停止する停止手段の部分平面図であり、立体回走型の循環搬送装置や磁石牽引型搬送装置の如く、飲食皿をどの位置にでもおけるタイプのものは、この注文飲食物停止手段を用いることができる。
【００３４】
この注文飲食物停止手段１８は、シリンダ１８ａと停止部材であるロッド１８ｂから構成されており、ロッド１８ｂは、往復注文搬送装置２’の搬送方向に直交する方向に進退移動するよう構成されており、ロッド１８ｂの伸張により注文飲食物の食器皿８に当接してその移送が阻止される。この停止手段１８を用いることにより、往復注文搬送装置２’の駆動を停止することなく注文飲食物を停止できるので、次の注文飲食物の搬送において、搬送装置の再起動の必要がない。
【００３５】
前述した停止手段１８に代えて、往復注文搬送路に沿って各座席に対応するセンサーを配設することで、インターフォン１５，１６のボタン１５ａ，１６ａの作動と同時に、該当するセンサーが起動して検知可能な状態となり、注文飲食物の食器皿８が前記センサーにより検知されると往復注文搬送装置の駆動が直ちに停止し、注文飲食物を載置した食器皿８を注文飲食客の前で停止することができるようにしてもよい。
【００３６】
また、注文飲食物が注文飲食客によって採られた後は、停止手段の作動を解除し、一方側チェンＣ１を逆送することで注文用トレーＴが厨房エリア内の飲食物載置位置に引き戻されるようになっているので、次に待機させていた注文飲食物を直ちに搬送することができる。
【００３７】
立体回走型の循環搬送装置を使用する場合は、注文用トレーＴがないので注文用トレーＴを引き戻すことなく直ぐに次の注文飲食物を載せた食器皿を搬送装置に投入できる。
【００３８】
更に、注文飲食客の座席位置に到達した注文飲食物が所定時間以上停止している場合、例えばタイマーに設定された設定時間に達した場合に、停止手段の作動を解除し、一方側チェンＣ１を逆送することで厨房エリア内の飲食物載置位置に引き戻されるようになっているので、他の飲食客の注文に対し長く待たせることなく対応することができる。
【００３９】
図３は注文飲食物を往復注文搬送装置より排除する飲食物排除機構の部分平面図であり、注文飲食物が所定時間以上停止してその後厨房エリア内へ戻す際に、この飲食物排除機構で注文飲食物を排除することができる。
【００４０】
この飲食物排除機構２０は、往復注文搬送路の適宜に設定した排出箇所に設けられており、例えば、シリンダ２０ａと排除部材であるロッド２０ｂから構成されている。注文飲食物が注文飲食客の座席位置に所定時間以上停止している場合には、注文飲食物停止手段の作動が解除され、注文飲食物は飲食物排除機構２０のところまで搬送される。
【００４１】
飲食物排除機構２０は、往復注文搬送装置２’の搬送方向に対しロッド２０ｂが平面視斜め方向に進退移動進退移動するよう構成されており、注文飲食物が飲食物排除機構２０のところまで搬送されと、ここでロッド２０ｂにより連絡シュート２２を介して飲食客エリア内を循環する通常の循環搬送路に移送される。このようにすることで、注文飲食物を無駄にすることなく再利用することができる。また、次の注文飲食物を搬送できるので、他の飲食客の注文に対し長く待たせることなく対応できる。
【００４２】
次に、本発明の第２実施形態に付き図４を参照して説明する。
【００４３】
図４は第２実施形態に係る循環型飲食物搬送装置であって、無端状循環搬送路とその近傍上部に前後方向に往復動可能に並設された２つの往復注文搬送装置を横切る断面図である。尚、前述した構成部分と同一構成部分については、同一符号を付して重複する説明を省略する。
【００４４】
図４に示される循環型飲食物搬送装置１の循環搬送路１ａ，１ｂ間には、仕切板５ａ，５ｂが配置されて対面側の飲食客の視界を遮るようになっており、これら循環搬送路１ａ，１ｂの上方には２つの注文用トレーＴ，Ｔを個別に前後方向に往復動する２つの独立した往復注文搬送装置３ａ，３ｂが並設されている。
【００４５】
これら往復注文搬送装置３ａ，３ｂは、第１実施形態と同じ構成であって、前後に配置された一対のスプロケットに係止されて水平に折り返される無端チェンＣ１，Ｃ２の一方側チェンＣ１にそれぞれ独立して連結された注文用トレーＴ，Ｔを厨房エリアと飲食客エリア間で往復直線移動するように構成されている。
【００４６】
すなわち、これら注文搬送装置３ａ，３ｂは、飲食客が注文した飲食物を食器皿８に載置して図示しない隔壁で仕切られた厨房エリア内から飲食客エリア内の注文飲食客に移送し、再び逆送して厨房エリアに戻るようになっている。
【００４７】
また、両注文搬送装置３ａ，３ｂ間の支持台中央部には、目隠し板６が立設していて対面側の飲食客が注文した飲食物が視界から遮られるようになっており、対面側の飲食客が注文飲食物を誤って採ってしまうようなことは起きない。
【００４８】
また、上部フレームＦ’の前面には注文伝達手段としてのインターフォン１５，１６が座席に対応してそれぞれ取付けられており、飲食客はインターフォン１５，１６のボタン１５ａ，１６ａを押すことで好みの飲食物を厨房側に口頭で注文することができるようになっている。
【００４９】
このように、対面式カウンターの飲食客に対応して２つの注文搬送装置３ａ，３ｂが並設されているので、対面する両飲食客に対して別個独立して注文飲食物を搬送することができる。
【００５０】
次に、本発明の第３実施形態に付き図５を参照して説明する。
【００５１】
図５は本発明の第３実施形態に係る循環型飲食物搬送装置であって、無端状循環搬送路とその近傍上部に配設されるリニアモータ駆動の２つの吊り下げ式往復注文搬送装置を横切る断面図である。尚、前述した構成部分と同一構成部分は同一符号を付してその説明を省略する。
【００５２】
図５に示すように、２つの吊り下げ式往復注文搬送装置３０ａ，３０ｂはリニアモータ駆動の吊り下げ式であり、循環型飲食物搬送装置１を構成する無端状のクレセントチェーンコンベヤ１２ａ，１２ｂから成る循環搬送路１ａ，１ｂの対面に設置された仕切板５ａ，５ｂ間の支持台上部には複数の支柱２５が所定間隔毎立設しており、これら支柱２５間には対面側の飲食客の注文飲食物を視界から遮る目隠し板３２が取付けられている。
【００５３】
そして、上記支柱２５の上端から搬送方向と直交する左右方向に張り出した支持アーム２６の両端には、前後方向を向く２つの独立した搬送路を構成する直線状のガイドレールＲ１，Ｒ２が支持されている。なお、支持アーム２６は支柱２５に支えられているが、天井に直接吊り下げるようにしてもよい。
【００５４】
そして、これらガイドレールＲ１，Ｒ２には、吊り下げ体Ｐ１，Ｐ２の側面に回転自在に軸支されたガイドローラが走行可能に支持されており、これら吊り下げ体Ｐ１，Ｐ２には食器皿８を載置して独立して往復移送可能な吊り下げ搬送トレー２９ａ，２９ｂがそれぞれ吊り下げられている。
【００５５】
吊り下げ体Ｐ１，Ｐ２のガイドローラと反対側には、両ガイドレールＲ１，Ｒ２の一部に取付けられた無端状の固定子コイルと、可動子から成るリニアモータが設けられている。
【００５６】
本実施形態に係る吊り下げ式往復注文搬送装置３０ａ，３０ｂは、図示していないが、上記の実施形態と同様に、飲食カウンター４ａ，４ｂ前の座席に対応して注文伝達手段としてのインターフォンがそれぞれ取り付けられており、その座席に着席した飲食客は、インターフォンのボタンを押すことで好みの飲食物を厨房側に口頭で注文することができるようになっている。
【００５７】
また、吊り下げ搬送トレー２９ａ，２９ｂの下方には、仕切板５ａ，５ｂの上端から循環搬送路１ａ，１ｂの上部にそれぞれヒサシ２４ａ、２４ｂが張り出しており、吊り下げ搬送トレー２９ａ，２９ｂから循環搬送路１ａ，１ｂ上に飲食物が落下するのを防止している。
【００５８】
上記の吊り下げ式往復注文搬送装置３０ａ，３０ｂは、２つの独立したリニアモータ駆動の吊り下げ式搬送で構成されるので、対面カウンターの両方の注文客に対応することができ、通常の循環型飲食物搬送装置１と吊り下げ式往復注文搬送装置３０とが上下に振り分けられるため、搬送駆動部のスペースに余裕ができると共にリニアモータ駆動とすることで搬送時の騒音が抑えられるので飲食客エリアの環境を向上することができる。
【００５９】
次に、本発明の第４実施形態に付き図６を参照して説明する。
【００６０】
図６は本発明の第４実施形態に係る循環型飲食物搬送装置であって、無端状循環搬送路とその近傍上部に配設され、注文飲食物を遮る目隠し板を設けて前後方向に往復動可能な注文用トレーを横切る断面図である。前述した構成部分と同一構成部分は同一符号を付してその説明を省略する。
【００６１】
循環搬送路１ａ，１ｂの間に形成された支持台１１上部には、搬送方向に沿う複数の支柱７が所定間隔毎に立設しており、これら支柱７間に設けられた保持枠Ｈに注文飲食客の対面側の飲食客の視界から遮る仕切板５が取付けられている。
【００６２】
そして、これら各支柱７の頂部左右には、循環搬送路１ａ，１ｂの上面に支持梁３４ａ，３４ｂが張り出しており、この支持梁３４ａ、３４ｂの両端には一対の上部フレームＦ’’が前後方向に向けて支持されている。
【００６３】
更に、両支持梁３４ａ，３４ｂの上面には、一対の上部フレームＦ’’の内側面に両端が固定された枠板３５ａ，３５ｂが取付けられ、この枠板３５ａ，３５ｂ上には図示しない前後に配置された一対のスプロケットに係止されて水平に折り返される無端チェンＣ１，Ｃ２が正、逆移送可能に案内支持されている。
【００６４】
チェンＣ１には、厨房エリア内で飲食物Ｎを載せた食器皿８を載置する一対の案内レール１３ａ，１３ｂ上に支持されて往復直線移動する注文用トレーＴ’が接続されている。
【００６５】
従って、駆動側のスプロケットの正逆回転に協働して駆動するチェンＣ１により、注文用トレーＴ’を正送または逆送できるように構成されている。
【００６６】
また、注文用トレーＴ’の中央には、対面側の飲食客の視界を遮る目隠し板６’が立設していて、目隠し板６’を挟んで注文用トレーＴ’の上面には飲食客が注文した飲食物を載せた食器皿８を個別に載置できるように構成されている。この目隠し板６’は注文用トレーＴ’でなく食器皿８に直接設けることもできる。
【００６７】
本実施形態に係る往復注文搬送装置によれば、注文用トレーＴ’の上面に注文飲食物を遮る目隠し板６’が設けられているので、注文用トレーＴ’が停止したときに、注文用トレーＴ’に設けた目隠し板６’で注文飲食物が隠されるので、対面側の飲食客が誤って注文飲食物を採ってしまうようなことは起きない。
【００６８】
尚、前述した実施形態では、往復注文搬送装置として無端チェンＣ１，Ｃ２を使用した例に付き説明したが、これに限らず、ラック、ピニオンの組合せや、ロッドレスシリンダ、またはボールねじとボールナットを組合わせたもの等従来周知の搬送方式を採用することが可能である。
【００６９】
以上、本発明の実施形態を図面により説明してきたが、具体的な構成はこれら実施例に限られるものではなく、例えば、対面式カウンターで説明してきたが、通常のカウンターに対しても本発明の注文搬送路は適用可能である。
【００７０】
【発明の効果】
本発明は以下の効果を奏する。
【００７１】
（ａ）請求項１項の発明によれば、注文した飲食物が注文飲食物載置台により送り届けられるので、人手が掛からず、しかも注文飲食者のところで飲食物が停止するので、見逃してしまうようなことがない。
【００７２】
（ｂ）請求項２項の発明によれば、座席位置と駆動による移動距離を関連付けることで、注文飲食物を注文飲食客の席のところに正確に搬送することができる。
【００７３】
（ｃ）請求項３項の発明によれば、循環注文搬送装置の駆動を停止することなく注文飲食物を停止できるので、次の注文飲食物の搬送において、搬送装置の再起動の必要がない。
【００７４】
（ｄ）請求項４項の発明によれば、通常の循環型搬送装置と往復注文搬送装置とを上下に振り分けているので、搬送駆動部のスペースに余裕ができると共に、往復注文搬送装置をリニアモータ駆動とすることで搬送時の騒音が抑えられるため飲食客エリアの環境を向上することができる。
【００７５】
（ｅ）請求項５項の発明によれば、往復注文搬送装置がカウンターより高いところにあるので、通常の循環型飲食物搬送路と区別でき、途中で注文飲食物が誤って他の飲食客に採られてしまうことが防げる。
【００７６】
（ｆ）請求項６項の発明によれば、注文飲食物が停止したときに、注文飲食物運搬体に設けた目隠し板で注文飲食物が隠されるので、対面側の飲食客が誤って注文飲食物を採ってしまうようなことは起きない。
【００７７】
（ｇ）請求項７項の発明によれば、対面する両飲食客に対して別個独立して注文飲食物を搬送することができる。
【００７８】
（ｈ）請求項８項の発明によれば、対面側の飲食客は目隠し板でその注文飲食物が見えないので誤って採ってしまうようなことは起きない。
【００７９】
（ｉ）請求項９項の発明によれば、ランプやブザー等の告知手段により注文飲食物が届いたことを注文飲食客に知らせることができる。
【００８０】
（ｊ）請求項１０項の発明によれば、次に待機させていた注文飲食物を直ちに搬送することができる。
【００８１】
（ｋ）請求項１１項の発明によれば、他の飲食客の注文に対し長く待たせることなく対応できる。
【００８２】
（ｌ）請求項１２項の発明によれば、注文飲食物を無駄にすることなく再利用できる。
【００８３】
（ｍ）請求項１３項の発明によれば、インターフォン等の注文伝達手段により飲食客は手軽に注文できる。
【図面の簡単な説明】
【図１】本発明の第１実施形態に係る循環型飲食物搬送装置であって、無端状循環搬送路とその近傍上部に配設され前後方向に往復動可能な注文飲食物載置台を備えた往復注文搬送装置を横切る断面図である。
【図２】往復注文搬送装置を横切る方向に進退移動して注文飲食物を注文飲食客の前面で停止する停止手段の部分平面図である。
【図３】注文飲食物を往復注文搬送装置より排除する飲食物排除機構の部分平面図である。
【図４】第２実施形態に係る循環型飲食物搬送装置であって、無端状循環搬送路とその近傍上部に前後方向に往復動可能に並設された２つの往復注文搬送装置を横切る断面図である。
【図５】本発明の第３実施形態に係る循環型飲食物搬送装置であって、無端状循環搬送路とその近傍上部に配設されるリニアモータ駆動の２つの吊り下げ式往復注文搬送装置を横切る断面図である。
【図６】本発明の第４実施形態に係る循環型飲食物搬送装置であって、無端状循環搬送路とその近傍上部に配設され、注文飲食物を遮る目隠し板を設けて前後方向に往復動可能な注文用トレーを横切る断面図である。
【符号の説明】
１                    循環型飲食物搬送装置
１ａ，１ｂ            循環搬送路
２，３ａ，３ｂ        往復注文搬送装置
４ａ，４ｂ            飲食カウンター
５，５ａ，５ｂ        仕切板
６，６’              目隠し板
７                    支柱
８                    食器皿
１１                  支持台
１２ａ，１２ｂ        クレセントチェーンコンベヤ
１３                  案内レール
１３ａ，１３ｂ        案内レール
１５，１６            インターフォン
１５ａ，１６ａ        ボタン
２４ａ，２４ｂ        ヒサシ
２５                  支柱
２６                  支持アーム
２９ａ，２９ｂ        搬送トレー
３０ａ，３０ｂ        吊り下げ式往復注文搬送装置
３２                  目隠し板
３４ａ，３４ｂ        支持梁
３５ａ，３５ｂ        枠板
Ｃ１                  駆動側チェン
Ｃ１，Ｃ２            無端チェン
Ｆ                    下部フレーム
Ｆ’，Ｆ’’            上部フレーム
Ｆ１                  支持枠
Ｈ                    保持枠
Ｎ                    飲食物
Ｐ１，Ｐ２            吊り下げ体
Ｒ１，Ｒ２            ガイドレール
Ｔ，Ｔ’              注文用トレー
【図１】
2004187922.tif 000003
【図２】
2004187922.tif 000004
【図３】
2004187922.tif 000005
【図４】
2004187922.tif 000006
【図５】
2004187922.tif 000007
【図６】
2004187922.tif 000008